(57)【要約】【課題】HS-PDSCHチャネルによるコードリソースへの使用需要を満足させる。【解決手段】高速物理ダウンリンク共有チャネルのコードリソースの配分システムは、システム内のコードリソースを対応するチャネルに配分する無線ネットワーク制御装置と、高速物理ダウンリンク共有チャネルのコードリソースが足りないとき、使用状態のフリーであるコードワードを高速物理ダウンリンク共有チャネルに配分する基地局とを備える。本発明のシステムはHS-PDSCHチャネルのコードリソースが制限されたとき、コードツリー内のフリーなコードリソースをHS-PDSCHチャネルに臨時に配分することにより、ある程度でHS-PDSCHチャネルのコードリソースの制限される問題を緩和させ、システム全体のコードリソースの利用率を高めている。【選択図】図１
2007129713.tif 000002
【特許請求の範囲】
【請求項１】
高速物理ダウンリンク共有チャネルのコードリソースの配分方法であって、
システム内のコードワードの使用状態を記録するステップと、
高速物理ダウンリンク共有チャネルのコードワードが足りないとき、使用状態がフリーであるコードリソースを高速物理ダウンリンク共有チャネルに配分するステップと
を含むことを特徴とする方法。
【請求項２】
高速物理ダウンリンク共有チャネルのコードリソースの配分方法であって、
無線ネットワーク制御装置がシステム内のコードリソースを対応するチャネルに配分し、かつ前記システム内のコードリソースの使用状態を基地局に通知するステップと、
基地局が無線ネットワーク制御装置からの通知に基づいて、自身により記録されるシステム内のコードリソースの使用状態をアップデートするステップと、
高速物理ダウンリンク共有チャネルのコードリソースが足りないとき、基地局が、使用状態がフリーであるコードワードを高速物理ダウンリンク共有チャネルに配分するステップと
を含むことを特徴とする方法。
【請求項３】
前記システム内のコードワードの使用状態を記録することは、高速物理ダウンリンク共有チャネルのチャネルコードと同じ拡散率を持っているコードワードのために基地局が対応する状態記録を設定し、且つ状態記録で対応するコードワードの使用状態を標識することを含むことを特徴とする請求項１又は２記載の方法。
【請求項４】
前記コードワードのために対応する状態記録を設定することは、仮定コードワード情報表を設定し、コードワードの使用状態を記録することを含むことを特徴とする請求項３記載の方法。
【請求項５】
前記対応するコードワードの使用状態を標識することは、
無線ネットワーク制御装置がコードワードを配分した後、当該コードワードが占用されたと基地局に通知し、基地局が仮定コードワード情報表内の対応するコードワードを占用状態に標識し、
無線ネットワーク制御装置が占用されたコードワードを解放した後、当該コードワードが解放されたと基地局に通知し、基地局が仮定コードワード情報表内の対応するコードワードをフリー状態に変更する
ことを含むことを特徴とする請求項４記載の方法。
【請求項６】
前記基地局が対応するコードワードを占用状態に標識することは、前記無線ネットワーク制御装置が配分したコードワードが仮定コードワード情報表に記録されたコードワードのサブコードワードであるとき、基地局が配分されたサブコードワードに対応するコードワードを占用状態に標識することを含むことを特徴とする請求項５記載の方法。
【請求項７】
前記使用状態がフリーであるコードワードを高速物理ダウンリンク共有チャネルに配分することは、基地局がコードツリーでの大小順に従って、仮定コードワード情報表内のコードワード記録を一々検索して、無線ネットワーク制御装置が高速物理ダウンリンク共有チャネルに配分したコードワードと連続しているフリーなコードワードを当該高速物理ダウンリンク共有チャネルに臨時に配分して使用させ、且つ仮定コードワード情報表で当該フリーなコードワードを臨時使用状態に標識することを含むことを特徴とする請求項４又は５記載の方法。
【請求項８】
高速物理ダウンリンク共有チャネルはディスパッチし終わった後、臨時に使用したコードワードを解放し、基地局は当該臨時に使用されたコードワードをフリーな状態に標識することをさらに含むことを特徴とする請求項７記載の方法。
【請求項９】
基地局がディスパッチ周期毎に高速物理ダウンリンク共有チャネルのコードリソースが充分であるかどうかを判断することをさらに含むことを特徴とする請求項１又は２記載の方法。
【請求項１０】
高速物理ダウンリンク共有チャネルのコードリソースの配分システムであって、
システム内のコードリソースを対応するチャネルに配分し、前記システム内のコードリソースの使用状態を基地局に通知する無線ネットワーク制御装置と、
無線ネットワーク制御装置からの通知に基づいて、自身が記録するシステム内のコードリソースの使用状態をアップデートし、高速物理ダウンリンク共有チャネルのコードリソースが足りないとき、自身が記録するシステム内のコードリソースの使用状態を検索して、使用状態のフリーであるコードワードを高速物理ダウンリンク共有チャネルに配分する基地局と
を備えることを特徴とするシステム。
【発明の詳細な説明】
【技術分野】
【０００１】
本発明は、通信システムにおけるコードリソースの配分技術に関し、特に高速物理ダウンリンク共有チャネル（HS-PDSCH）のコードリソースの配分方法及びシステムに関するものである。
【背景技術】
【０００２】
高速ダウンリンクパケットアクセス（HSDPA，High Speed Downlink Packet Access）は、広帯域符号分割多元接続（WCDMA，Wide-band CDMA）システムの核心技術である。当該技術は適応変調/符号化（AMC）、ハイブリット自動再送（HARQ）及び基地局の高速ディスパッチ（dispatch）等の一連の方法を通じてダウンリンクの高速データ伝送を実現する。HSDPA技術を用いた移動通信システムとして、例えば引用文献１に記載したシステムが存在する。
【０００３】
HSDPA技術が導入された後、WCDMAシステムではダウンリンクで二つのリンク、即ちデータ情報を伝送する高速物理ダウンリンク共有チャネル（HS-PDSCH）と、HS-PDSCH制御情報を伝送する高速共有制御チャネル（HS-SCCH）が追加された。各セルのダウンリンクのコードリソースが有限であるため、HS-PDSCHチャネルが存在しない場合、無線ネットワーク制御装置（RNC）はコードワードC(256、1)をプライマリ共通制御物理チャネル（PCCPCH）に固定的に配分して使用させ、コードワードC(256、0) を基本共通パイロットチャネル（PCPICH）に固定的に配分して使用させる。ここで、コードワードC(X、Y)は拡散率（SF）をXとし、コードナンバーをYとしたチャネルコードを表す。これを除いて、ほかのチャネルはみな動的な配分方法によってチャネルコードを取得する。HS-PDSCHチャネルが導入された後、セルに複数のHS-PDSCHチャネルが同時に存在する可能性があり、かつ複数のHS-PDSCHチャネルのチャネルコードが連続でなければならないとWCDMAシステムが要求しているため、RNCでは一般にHS-PDSCHチャネルのために一定のコードリソースを予約している。プロトコルの規定によって、HS-PDSCHのチャネルコードの拡散率（SF）が16であるため、RNCは拡散率が16であるいくつかの連続的なチャネルコードをHS-PDSCHチャネルに予約し、これによって、これらのチャネルコードはそれ以上ほかのチャネルに配分されない。規定によれば、各セルで使用できるHS-PDSCHチャネルはせいぜい15個であり、これらのチャネルは同一のセル内のHSDPAユーザに共有されている。
【０００４】
コードリソースの配分過程において、RNCがHS-PDSCHチャネルのためにコードリソースを予約する戦術がいろいろある。例えば、RNCは実際の情況によって０個の資源を予約してもいいし、即ち予約しなくてもいいし、あるいは、所要のシングルサービスの最大レートによって予約し、あるいは、コールモデルの容量によって予約する。一般に、RNCはセルのコールモデルによってHS-PDSCHチャネルに所要されるコードリソースを決める。セルのコールモデル及びアクセスベアラポリシーが決められた後、RNCによりHS-PDSCHチャネルのために予約されたコードリソースはセルユーザのアプリケーションの要求を基本的に満足することができる。
【０００５】
【特許文献１】特開２００４−２４２２２７号公報。
【発明の開示】
【発明が解決しようとする課題】
【０００６】
ただし、HS-PDSCHチャネルのトラヒックがユーザの実際的な需要に従って変化し、且つユーザの動きと周囲環境の変化などがみなチャネル環境の変化を引き起こすため、セルのユーザによるコードリソースへの需要は変化する。RNCがHS-PDSCHチャネルのために予約したコードリソースが少ないとき、実際の情況によって適時に調整しなければ、システム内のフリーなコードリソースがHS-PDSCHチャネルに用いられないことになって、HS-PDSCHチャネルのコードリソースが制限されてしまうが、これは必要ではないことであって、これにより、資源の利用率が低減される。
【０００７】
そこで、本発明は上記の内容に鑑みてなされたものであって、基地局がコードリソースの実際的な状況に基づいて、システム内のフリーなコードリソースをHS-PDSCHチャネルに配分して、HS-PDSCHチャネルによるコードリソースへの使用需要を満足するようにする、高速物理ダウンリンク共有チャネルのコードリソースの配分方法を提供することを主な目的とする。
【０００８】
また、本発明の他の目的は、HS_PDSCHチャネルによるコードリソースへの使用需要を満足し、資源の利用率を向上させる、高速物理ダウンリンク共有チャネルのコードリソースの配分方法を提供することにある。
【０００９】
また、本発明の他の目的は、HS-PDSCHチャネルのコードリソースが制限される問題を克服でき、HS-PDSCHチャネルによるコードリソースへの使用需要を満足できる、高速物理ダウンリンク共有チャネルのコードリソースの配分システムを提供することにある。
【課題を解決するための手段】
【００１０】
上記目的を達成するため、本発明は下記の具体的な技術方案によって実現されるものである。
【００１１】
本発明の第１の態様によれば、高速物理ダウンリンク共有チャネルのコードリソースの配分方法であって、システム内のコードワードの使用状態を記録するステップと、高速物理ダウンリンク共有チャネルのコードワードが足りないとき、使用状態がフリーであるコードリソースを高速物理ダウンリンク共有チャネルに配分するステップと、を含む。
【００１２】
また、本発明の第２の態様によれば、高速物理ダウンリンク共有チャネルのコードリソースの配分方法であって、無線ネットワーク制御装置がシステム内のコードリソースを対応するチャネルに配分し、かつ前記システム内のコードリソースの使用状態を基地局に通知するステップと、基地局が無線ネットワーク制御装置からの通知に基づいて、自身により記録されるシステム内のコードリソースの使用状態をアップデートするステップと、高速物理ダウンリンク共有チャネルのコードリソースが足りないとき、基地局が使用状態のフリーであるコードワードを高速物理ダウンリンク共有チャネルに配分するステップとを含む。
【００１３】
前記方法において、前記システム内のコードワードの使用状態を記録するとは、高速物理ダウンリンク共有チャネルのチャネルコードと同じ拡散率を持っているコードワードのために基地局が対応する状態記録を設定し、且つ状態記録で対応するコードワードの使用状態を標識することを含む。
【００１４】
前記方法において、前記コードワードのために対応する状態記録を設定するとは、仮定コードワード情報表を設定し、コードワードの使用状態を記録することを含む。
【００１５】
前記方法において、前記対応するコードワードの使用状態を標識するとは、無線ネットワーク制御装置がコードワードを配分した後、当該コードワードが占用されたと基地局に通知し、基地局が仮定コードワード情報表内の対応するコードワードを占用状態に標識し、無線ネットワーク制御装置が占用されたコードワードを解放した後、当該コードワードが解放されたと基地局に通知し、基地局が仮定コードワード情報表内の対応するコードワードをフリー状態に変更する、ことを含む。
【００１６】
前記方法において、前記基地局が対応するコードワードを占用状態に標識するとは、前記無線ネットワーク制御装置が配分したコードワードが仮定コードワード情報表に記録されたコードワードのサブコードワードであるとき、基地局が配分されたサブコードワードに対応するコードワードを占用状態に標識する、ことを含む。
【００１７】
前記方法において、前記使用状態がフリーであるコードワードを高速物理ダウンリンク共有チャネルに配分するとは、基地局がコードツリーでの大小順に従って、仮定コードワード情報表内のコードワード記録を一々検索して、無線ネットワーク制御装置が高速物理ダウンリンク共有チャネルに配分したコードワードと連続しているフリーなコードワードを当該高速物理ダウンリンク共有チャネルに臨時に配分して使用させ、且つ仮定コードワード情報表で当該フリーなコードワードを臨時使用状態に標識する、ことを含む。
【００１８】
前記方法において、高速物理ダウンリンク共有チャネルはディスパッチし終わった後、臨時に使用したコードワードを解放し、基地局は当該臨時に使用されたコードワードをフリーな状態に標識することをさらに含む。
【００１９】
前記方法において、基地局がディスパッチ周期毎に高速物理ダウンリンク共有チャネルのコードリソースが充分であるかどうかを判断することをさらに含む。
【００２０】
さらに、本発明の第３の態様によれば、高速物理ダウンリンク共有チャネルのコードリソースの配分システムであって、システム内のコードリソースを対応するチャネルに配分し、前記システム内のコードリソースの使用状態を基地局に通知する無線ネットワーク制御装置と、無線ネットワーク制御装置からの通知に基づいて、自身が記録するシステム内のコードリソースの使用状態をアップデートし、高速物理ダウンリンク共有チャネルのコードリソースが足りないとき、自身が記録するシステム内のコードリソースの使用状態を検索して、使用状態のフリーであるコードワードを高速物理ダウンリンク共有チャネルに配分する基地局とを備える
【発明の効果】
【００２１】
以上の技術方案によれば、本発明の高速物理ダウンリンク共有チャネルのコードリソースの配分方法では、NODEBが仮定コードワード情報表を設定することによって、セルの中でHS-PDSCHチャネルのコードと同じ拡散率を持っている全てのコードワードの使用情況をモニターする。HS-PDSCHチャネルに配分したコードリソースが制限されたが、同じ拡散率の他のコードリソースがフリーな状態にあるとき、HS-PDSCHチャネルの短時間ディスパッチという特徴をNODEBが利用して前記フリーなコードリソースをHS-PDSCHチャネルに臨時的に配分して使用させ、使用し終わった後で当該フリーなコードリソースを解放することにより、HS-PDSCHチャネルのコードリソースが制限される確率を低減し、システム全体のコードリソースの使用効率を高める。
【００２２】
また、本発明は高速物理ダウンリンク共有チャネルのコードリソースの配分システムを提供して、RNCとNODEBによりシステム内のコードリソースを共同に管理し、RNCはあらゆるチャネルのコードリソースを配分し、NODEBはフリーなコードリソースをHS-PDSCHチャネルに臨時的に配分して使用させて、HS-PDSCHの短時間ディスパッチが完了した後、当該コードリソースを解放し、それにフリーな状態を回復させる。当該システムはNODEBを利用してHS-PDSCHチャネルのコードリソースに対して動的管理を行うことにより、RNCのHS-PDSCHコードリソースの配分戦術を簡単化させ、さらに、HS-PDSCHチャネルのコードリソースを完全にNODEBによって動的に管理させる。こうして、RNCはHS-PDSCHチャネルのために少量のコードリソースだけを配分してもよく、HS-PDSCHチャネルのためにコードリソースを配分しないことさえ可能である。
【発明を実施するための最良の形態】
【００２３】
本発明の目的、技術方案及びメリットをさらに明確にするため、以下、図面を参照し、実施例を挙げて本発明をさらに詳しく説明する。
【００２４】
プロトコルではHS-PDSCHのチャネルコードのSFを全部16として規定した。RNCはシステム内のコードリソースをあらゆるチャネルに実際に配分して使用させるとき、一定の規定に従う必要がある。例えば、DCHチャネルに対してはそのコードワードを小さいほうから配分し、HS-PDSCHチャネルに対してはそのコードワードを大きいほうから配分する。こうして、コードリソース配分によるコードワードピースをできるだけ低減することができ、一方、拡散率の小さいコードワードをコードツリーでできるだけ残しておくことにより、高速サービスの需要を満足し、コードワードの使用効率を高める。
【００２５】
以下、図１を参照して、上記のポリシーに基づく本発明の実施例について説明する。図１は本発明の実施例におけるHS-PDSCHチャネルのコードリソースの配分のフローチャートであり、具体的に以下のステップを含んでいる。
【００２６】
図１のステップ101で、基地局（NODEB）は、HS-PDSCHのチャネルコードと同じ拡散率を持っている全てのコードワードの使用状態を記録するために、仮定コードワード情報表をHS-PDSCHチャネルに設定する。
【００２７】
HS-PDSCHのチャネルコードと同じ拡散率を持っているコードワードとは、拡散率が１６であるコードワードを指している。RNCがコードワードC(16、0)のサブコードワードであるコードワードC(256、0)とC(256、1) を、すでに共通チャネルに固定的に配分したので、コードワードC(16、0)がHS-PDSCHチャネルに臨時的に使用されることができず、したがって、仮定コードワード情報表では、１５個のコードワードC(16、1)、C(16、2)、…、C(16、15)のの使用状態だけを記録する。初期状態では、この15個のチャネルコードは全部フリー状態に標識されて、上記コードワードがみな使用されていないことを表す。
【００２８】
ステップ102で、仮定コードワード情報表内のあるコードワード、又はあるコードワードのいずれかのサブコードワードが使用されたとき、RNCは当該コードワードが占用されたとシグナリングを通じてNODEBに通知し、NODEBは仮定コードワード情報表内の対応するコードワードの使用状態を占用と標識する。
【００２９】
当該ステップで、NODEBはRNCの通知を受信した後、今回使用されたのがサブコードワードであれば、NODEBはこのサブコードワードが所属する、SFが１６であるコードワードを判別して確定して、対応するコードワードの使用状態を占用と標識する。例えば、前記サブコードワードがC(32、2)であれば、NODEBはコードワードC(16、1)の状態を占用と標識する。
【００３０】
そのほか、あるコードワードが使用し終わって解放されたときも、RNCは当該コードワードが解放されたとNODEBに通知し、NODEBは仮定コードワード情報表内の当該コードワードの使用状態を占用からフリーに変更してアップデートする。
【００３１】
ステップ103で、個々のMAC-hsディスパッチ周期において、NODEBはコードツリーでの大小順に従って仮定コードワード情報表に記録されたコードワードの使用状態を一々検索し、フリーなコードワードが存在するなら、当該コードワードをHS-PDSCHチャネルに臨時に配分して使用させ、且つ仮定コードワード情報表で当該コードワードの使用状態を臨時使用と標識する。占用と標識されているコードワードに関しては、当該コードワードはすでにRNCによって配分されているので、HS-PDSCHチャネルに臨時に配分して使用されることができない。
【００３２】
ステップ104で、HS-PDSCHチャネルはNODEBが自身に配分したコードワードを臨時に使用してサービスをベアリング（bearing）し、ディスパッチし終わった後で上記コードワードを解放し、後続のプロセスで当該コードワードを再度使用するために、次いでNODEBにより上記コードワードの使用状態を臨時からフリーに変更する。
【００３３】
前記臨時使用とは短時間の占用を指している。HS-PDSCHチャネルのディスパッチ周期は通常2ms（ミリ秒）であって、元はフリーであったコードワードは、HS-PDSCHチャネルに配分されて臨時使用されるとき、ただ2msだけ占用された後、フリー状態に戻ることができる。
【００３４】
あるコードワードの臨時使用期間に、当該コードワードが再度RNCによって配分されても、RNCがメッセージを送信してからNODEBが応答メッセージを受信するまでに少なくとも50msぐらいの時間が必要であるため、即ちRNCが当該コードワードに対しての配分が有効になるには少なくとも50msぐらいの時間が必要であるため、コードワードの使用が衝突する場合は生じない。即ち本発明でフリーなコードワードを臨時に使用する方案は実際に実行可能なものである。
【００３５】
以下、具体例でNODEBがHS-PDSCHチャネルのコードリソースに対して動的管理を行う方法を説明する。例えば、RNCがHS-PDSCHチャネルのために予約した四つのコードワードがそれぞれC(16、15)、C(16、14)、C(16、13)とC(16、12)であり、この四つのコードワードが全てもう使用されていれば、仮定コードワード情報表でコードワードC(16、15)、C(16、14)、C(16、13)とC(16、12)は占用と標識され、ほかのコードワードはフリーと標識されている。
NODEBではディスパッチ周期毎にHS-PDSCHチャネルのコードリソースが充分であるかどうかを判断することができる。あるディスパッチ周期において、NODEBがサービスの実際情況によって、HS-PDSCHチャネルに配分したコードリソースが足りないと判定する。HS-PDSCHチャネルにコードリソースを追加しなければ、ユーザが今回のディスパッチ周期で送信するデータ量が低減し、これにより、システムのスループットが低減され、システムの電力が浪費される。
【００３６】
この時、NODEBはディスパッチアルゴリズムによってユーザの所要するコードワード数を計算した後、もしHS-PDSCHチャネルに二つのコードワードを追加する必要があると確定したら、大小順に従って自体に保存されている仮定コードワード情報表をチェックする。仮定コードワード情報表をチェックすることによって、NODEBは二つのコードワードC(16、11)とC(16、10)がフリー状態にあり、且つこの二つのコードワードが元にHS_PDSCHチャネルに配分したコードワードと連続していることを見付ける。それで、NODEBは当該ディスパッチ周期でコードワードC(16、11)とC(16、10)をHS-PDSCHチャネルに臨時に配分して使用させ、かつこの二つのコードワードの使用状態を臨時使用と標識することにより、事前に配分したコードリソースが足りなくてHS-PDSCHチャネルのコード資源が制限される問題を克服している。
【００３７】
以上の実施例からわかるように、本発明におけるHS-PDSCHチャネルのコードリソースの配分方法及びシステムは、仮定コードワード情報表の設定によって、セルの中でHS-PDSCHチャネルのコードワードと同じ拡散率を持っている全てのコードワードの使用情況をモニターする。HS-PDSCHチャネルのコードリソースが制限されたとき、コードツリー内のフリーなコードリソースをHS-PDSCHチャネルに臨時に配分して使用させることができることは、ある程度でHS-PDSCHチャネルのコードリソースが制限される問題を緩和し、システム全体のコードリソースの利用率を高めている。
【図面の簡単な説明】
【００３８】
【図１】本発明の実施例におけるHS-PDSCHチャネルのコードリソースの配分のフローチャートである。
【図１】
2007129713.tif 000003